(57)【要約】      （修正有）【課題】装飾効果の高く、多様な製品に利用可能な、また、視認効果の高い複合材として提供する。【解決手段】木、竹または人造木材のいずれか１つまたは幾つかの素材から成る無垢材、集成材、積層材、天然木化粧合板を含む木質合板または木質繊維板１，２と硬質樹脂材、ガラス、天然石、人造石のいずれか１つまたは幾つかの組み合わせから成る非木質系材２、４を接合固定して成る複合材。【選択図】図６
2011152763.tif 000002
【特許請求の範囲】
【請求項１】
木、竹または人造木材のいずれか１つまたは幾つかの素材から成る木質系材を硬質樹脂材、ガラス、天然石または人造石のいずれか１つまたは幾つかの素材から成る非木質系材と組み合わせ、接合固定して成る複合材。 
【請求項２】
木質系材の表層面の少なくとも１面に非木質系材を嵌め込むかまたは貫入し、接合固定して成る請求項１に記載の複合材。
【請求項３】
木質系材の表層面の少なくとも１面に露出する非木質系材が、表層面からその表層面と対向する反対面まで貫通し、接合固定して成る請求項１または２のいずれかに記載の複合材、もしくは該複合材の該木質系材と該非木質系材の位置を入れ替え、組み合わせを逆転して成る請求項１または２のいずれかに記載の複合材。
【請求項４】
本実加工または相じゃくり加工した木質系材と本実加工または相じゃくり加工した非木質系材を組み合わせ、接合固定して成る請求項１、２または３のいずれかに記載の複合材。
【請求項５】
無色もしくは有色の透明材、模様を施した透明の型板材、半透明材または不透明だが透光性のある材のいずれか１つまたは幾つかの素材から成る非木質系材を木質系材と組み合わせ、接合固定して成る請求項１、２、３または４のいずれかに記載の複合材。
【請求項６】
透光性のある非木質系材を木質系材と組み合わせ、接合固定して成る請求項１、２、３、４または５のいずれかに記載の複合材の裏側や内部に光源を配置または内蔵して成る複合材。
【請求項７】
人造木材を構成する基材に非木質系材のいずれか１つまたは幾つかの素材の大小の片材を混入し、成型して、表層面に非木質系材が露出して成る請求項１、２、３、４、５または６のいずれかに記載の複合材、または該複合材と木質系材または非木質系材を組み合わせ、接合固定して成る請求項１、２、３、４、５または６のいずれかに記載の複合材。
【請求項８】
請求項１、２、３、４、５または６のいずれかに記載の複合材の木質系材を非木質材と読み替えて、この読み替えて成る非木質系材と同素材または異なる素材の非木質系材と組み合わせ、接合固定して成る複合材。
【請求項９】
人造石を構成する基材に非木質系材のいずれか１つまたは幾つかの素材の大小の片材を混入し、成型して成る請求項８に記載の複合材、または該非木質系複合材と非木質系材を組み合わせ、接合固定して成る請求項８に記載の複合材。
【請求項１０】
木質系材と非木質系材を組み合わせ、接合固定して成る各辺がそれぞれ３００ｍｍ〜９１０ｍｍと成る正方形または長方形の請求項１、２、３、４、５、６または７のいずれかに記載の複合材から成る床、壁または天井用の板状の複合材。
【請求項１１】
請求項１０の各辺がそれぞれ３００ｍｍ〜９１０ｍｍと成る正方形または長方形の複合材を各辺がそれぞれ３００ｍｍ〜９１０ｍｍと成る正方形か長方形の請求項１〜１０のいずれかに記載の木質系材または非木質系材と組み合わせ、接合固定して成る床、壁または天井用の板状の複合材。
【請求項１２】
天然石や人造石などの非木質系材とこれと異なる素材のガラスや硬質樹脂材材などの非木質系材を組み合わせ、接合固定して成る各辺がそれぞれ３００ｍｍ〜９１０ｍｍと成る
正方形または長方形の請求項８または９のいずれかに記載の複合材から成る床、壁または天井用の板状の複合材。
【請求項１３】
請求項の１２の各辺がそれぞれ３００ｍｍ〜９１０ｍｍと成る正方形または長方形の複合材を各辺が３００ｍｍ〜９１０ｍｍと成る正方形または長方形の請求項１〜１２のいずれかに記載の木質系材または非木質系材と組み合わせ、接合固定して成る床、壁または天井用の板状の複合材。
【請求項１４】
透光性のある非木質系材と組み合わせた請求項１〜１３のいずれかに記載の複合材の裏側や内部に配置または内蔵した光源と振動を電気エネルギーに変換して照明器具を点灯させる機器と接続して成る複合材。        
【発明の詳細な説明】
【技術分野】
【０００１】
本発明は、建築材、家具用材、照明器具、生活雑貨、装身具、履物、文房具、住宅用衛生機器、車輌用内装材など多岐、広範囲に及ぶ複合材。
【背景技術】
【０００２】
従来の木質系複合材は、木質の単板の反りや変形を生じさせない為に特許文献１のように積層化による合板や複合材としているが、複合材を通して反対側を透視出来たり、光が透過する３ｍｍ以上の厚みを有する木質の複合材は無い。            
【０００３】
特許文献２、３の装飾柱のように装飾材が柱材の基材の周囲を被うものはあるが、本発明による複合材とは目的も構成も異なる。また、該複合材のように柱材の基材である木質系材を装飾材となる非木質系材が貫通、または貫入し、接合され、表層面に非木質系材が露出、視認出来る複合材は無い。          
【先行技術文献】
【特許文献】
【０００４】
【特許文献１】特開２００６−１９２８１７
【特許文献２】特開２０００−０２７４０２
【特許文献３】特開平１１−１７９７０９
【発明の概要】
【発明が解決しようとする課題】
【０００５】
木質系材を貫通したガラスや硬質樹脂材などの非木質系材を通して、光が透過したり、向こうが透けて見えるような、今までに無い装飾効果の高い建築材や家具用材に利用出来る材料を開発する。
【０００６】
多様な用途に利用可能で、家具などの既存の製品を今迄に無い魅力的な製品に変革出来る木、竹または人造木材から成る木質系材料または硬質樹脂材、ガラス、天然石または人造石から成る非木質系材料を開発する。         
【０００７】
公共建築物などの行き先への案内用誘導ラインや体育館での球技用コートのラインは、テープを張ったり、塗料でペイントされていて、剥がれたり、汚れたりして、視認性が悪化した場合が多いので、ラインの劣化を少なく出来る木質系床板材を開発する。
【０００８】
従来の長尺タイプの木質系無垢材の単板張り床材または壁材は、一般的な幅が７５mm〜１５０mmで、この規格に合わない幅の細い材や端材などは利用が出来なかったが、これらの規格外の材も利用した装飾効果の高い木質系材を開発する。          
【０００９】
老人や弱視などの視力に不安や問題を持つ人にも階段や床の段差または手摺の存在や位置を容易に視認出来るように、視認効果を高め、老人や弱視の人々の安全を確保する為に利用出来る複合材を開発する。    
【００１０】
ベニア合板などの積層材は幾つもの薄くスライスした木板を重ねている為にその板の厚さ部分の木口面（以後、板木口面と称する）に硬質樹脂材などの非木質系材を接着する事は強度確保が出来ないとされ、実現化していないが、幾つもの層から成る積層材の表層面となる板面（以後、板面と称する）または板木口面に非木質系材を露出し、装飾され、使用に耐えられる強度を確保した複合材を開発する。
【００１１】
擬似木としての人造木材はあるが、透光性があり、カラフルで装飾的な視認性が高い人造木材が無いので、人造木材に非木質系材を混入して、表層面に露出するカラフルな人造木材から成る複合材を開発する。         
【００１２】
人造石などの非木質系材に硬質樹脂材、ガラス、天然石などの異なる素材の非木質系材を混入して表層面に露出するカラフルで透光性がある人造石から成る複合材を開発する。
【００１３】
天然木単板張り化粧板や化粧合板などの木質系材から成る床材や壁材は、寄せ木作りの３００ｍｍ角の正方形の床材があるだけで、それを超える大きさから成る床材や壁材は無く、細幅の板材を縦張りや横張りにするしか無く、デザイン性や施工性が良く無いので、３００ｍｍ〜９１０ｍｍの大判の正方形や長方形の材を組み合わせて成るデザイン性と施工性の向上を図れる複合材を開発する。            
【課題を解決するための手段】
【００１４】
木、竹または人造木材のいずれか１つまたは幾つかの素材から成る木質系材の板木口面または板面の表層面に硬質樹脂材、ガラス、天然石または人造石のいずれか１つまたは幾つかの素材から成る非木質系材が露出するように組み合わせ、接合固定して成る複合材とする。（ 図１〜図２１を例とする。）            
【００１５】
前項に記載の木質系材の表層面の少なくとも１つの面に前項に記載の非木質系材を嵌め込み、接合固定して成る複合材とする。( 図１９、図２０、図２１を例とする。）
【００１６】
木質系材の表層面の少なくとも１面に露出する非木質系材が、表層面からその表層面と対向する反対面まで貫通し、接合固定して成る複合材、もしくは該複合材の該木質材と該非木質系材の位置を入れ替え、組み合わせを逆転して成る複合材とする。（ 図１〜図１８を例とする。）
【００１７】
本実加工または相じゃくり加工をした木質系材と本実加工または相じゃくり加工した非木質系材を所定の大きさで、所定の位置に所定の寸法ごとに配置または組み合わせ、接合固定して成る複合材により、体育館等の球技用コートのラインなどを形成する。( 図１１〜図１８を例とする。）               
【００１８】
無色もしくは有色の透明材、模様を施した透明の型板材、半透明材、または不透明だが透光性のある硬質樹脂材、ガラス、天然石、または人造石のいずれか１つまたは幾つかの素材から成る非木質系材と木質系材を組み合わせ、接合固定して成る複合材とする。 
【００１９】
透光性のある非木質系材を木質系材と組み合わせ、接合固定して成る複合材の裏側や内部に照明器具などの光源を配置または内蔵し、透光性のある非木質系材が発光する視認性の向上とデザイン性の向上を図った複合材とする。 
【００２０】
人造木材を構成する基材に硬質樹脂材、ガラス、天然石または人造石のいずれか１つまたは幾つかの大小様々な非木質材の片材を混入し、成型して成る木質系複合材とする。
【００２１】
前項に記載の木質系複合材と硬質樹脂、ガラス、天然石または人造石のいずれか１つまたは幾つかの非木質系材を組み合わせ、接合固定して成る複合材とする。
【００２２】
前記のいずれかの項に記載の複合材の木質系材を非木質系材に読み替えて成る天然石や人造石などの非木質系材をそれらと異なる素材の非木質系材の硬質樹脂材やガラスなどと組み合わせ、接合固定して成る複合材とする。  
【００２３】
人造石を構成する基材に硬質樹脂材、ガラス、天然石、人造石のいずれか１つまたは幾つかの大小様々な非木質系材の片材を混入し、成型して成る非木質系複合材とする。
【００２４】
前項に記載の非木質系複合材と硬質樹脂材、ガラス、天然石または人造石のいずれか１つまたは幾つかの非木質系材を組み合わせ、接合固定して成る複合材とする。      
【００２５】
ベニア合板や木質繊維板などの木質系材の中間部または最下部の一部または全面に硬質樹脂材などの非木質系材を接着し、その非木質系材の板木口面または板の上面に同素材の非木質系材を接着し、ベニア合板や木質繊維板などから成る木質系材の表層面に硬質樹脂材などの非木質系材を露出、装飾して視認させる。( 図１６、図１７、図１８を例とする。） 
【００２６】
木質系材と非木質系材を組み合わせ、接合固定して成る各辺がそれぞれ３００ｍｍ〜９１０ｍｍと成る正方形または長方形の大判の床、壁または天井用の板状の複合材とする事で施工性の向上とデザイン性の向上を図る。
【００２７】
前項の各辺がそれぞれ３００ｍｍ〜９１０ｍｍと成る正方形または長方形の木質系の複合材と各辺がそれぞれ３００ｍｍ〜９１０ｍｍと成る正方形か長方形の木質系材または非木質系材を組み合わせ、接合固定して成る大判の床、壁または天井用の板状の複合材とする。
【００２８】
天然石や人造石などの非木質系材とこれらと異なる素材の硬質樹脂材やガラスなどの非木質系材を組み合わせ、接合固定して成る各辺がそれぞれ３００ｍｍ〜９１０ｍｍと成る正方形または長方形の複合材から成る床、壁または天井用の板状の複合材とする。
【００２９】
前項の各辺がそれぞれ３００ｍｍ〜９１０ｍｍと成る正方形または長方形の非木質系の複合材と各辺がそれぞれ３００ｍｍ〜９１０ｍｍと成る正方形か長方形の木質系材または非木質系材を組み合わせ、接合固定して成る大判の床、壁または天井用の板状の複合材とする。
【００３０】
硬質樹脂材、ガラス、天然石または人造石から成る透光性のある非木質材を木、竹または人造木材から成る木質系材に嵌め込むかまたは貫通してなる複合材に配置または内蔵した照明器具と振動を電気エネルギーに変換し、人が歩くだけで照明器具を点灯させるシステムの機器と接続して、透光性のある非木質系材を発光させる複合材とする。
【発明の効果】
【００３１】
従来の長尺タイプの木質系無垢材の単板張り床材、壁材または天井材の幅は一般的に７５ｍｍ〜１５０ｍｍ 程度だが、これらの規格に合わない幅の細い材や端材は利用出来なかった。しかし、本発明による複合材は、図２や図６または図７のように基材となる木質系材をもう一方の材である非木質系材が分割し、従来の製品の半分の幅の材でも製品化する事が出来るので、規格外の幅の材も使用出来、且つ、装飾効果を向上させた複合材とする事が出来る。          
【００３２】
複合材の表層面に図１９、図２０、図２１のように貫入または嵌め込んだ透明の非木質系材の後ろ側に文字や模様を施した材を配すると、文字や模様が表層面の透明の非木質系材の実際の奥行きの３分の２程度の近くの位置に視認出来る効果がある。この効果は透明の非木質系材の奥行きが深く、文字や模様が表層面から奥に位置すれば、するほどその効果が高くなる。テーブルや商品陳列棚などの木口面にも文字や模様を３Ｄ画像のように立体的に見せられる視覚的効果が得られる。またこの手法だとガラスなどの印刷や塗装が定
着し難い材または頻繁に手が触れるような印刷や塗装が剥がれ易い箇所である手摺またはテーブルや棚板などの木口面などにも木製特有の手触りや外観を損なう事無く、文字や模様を視認させる事が出来る。
【００３３】
木質系材とカラフルな樹脂や透光性のある非木質系材を組み合わせる事により、今迄の装飾性に乏しい建築材や家具用材が利用範囲の広がる魅力ある材となる。特に木質系材と組み合わせる非木質系材を無色又は有色の透明材、透明型板材、半透明材または不透明だが透光性のある材とした場合は、家具用材として、図２６、図２７、図２８のようにテーブルや椅子の天板や脚などの部分に使用すると、１枚の天板が切り離れて見えたり、宙に浮いているかのように見せる事が出来るなど、視覚的効果や装飾性の高い家具用材や建築材となる。
【００３４】
透光性のある非木質系材を図３２のように鏡台や鏡枠に組み込むことにより、部屋の照度や照明の位置による影をなくし、均一な照度を得られるので、化粧などの作業がし易い照明内蔵型の鏡台とする事が出来る。また、同様に額縁の枠材にガラス面と平行または直交して挟み込み、裏側に配置または枠材に内蔵した光源で照射すれば、ガラスに反射した照明などの光による幻惑を軽減し、額縁内の絵画や写真などを綺麗に見せる事が出来る。また、同じ手法を利用して、宝飾箱やショーケースなど、多様な物に利用が出来る。
【００３５】
ベニア合板や中質繊維板などの木質繊維板などの木質系材の中間部または最下部の一部または全面に硬質樹脂材、ガラス、天然石または人造石から成る非木質系材の板木口面または板の上面に同素材の非木質系材を接着する手法により不可能とされた木質系材の板木口面に硬質樹脂材やガラス、石材などの非木質系材を接着させ、板面の表層面に非木質系材を露出し、装飾させる事が可能となった。この事により合板などの装飾性の向上や利用範囲の拡大を図る事が可能となり、合板のバリエーションを増やす事が可能となった。  
【００３６】
透明やカラフルな非木質系材を嵌め込むかまたは貫通した複合材を図３３、図３４のように階段や上り框等の段差のある場所に使用する事により、老人や弱視の人々にも段差の存在の認識を容易にし、安全に昇降させたり、図３８、図３９、図４０のように扉や手摺などの存在や位置を認識させ易くしたり、生活の利便性とデザイン性の向上を図る事が出来る。また、透光性のある非木質系材と木質系材の組み合わせから成る複合材の裏や内部に図３５、図３６、図３７のようにＬＥＤ照明器具などの光源を配置、内蔵し、照射させられる複合材とする事により、更に視認性を高める事が出来るので、老人や弱視の人々の歩行や移動を安全に行え、且つ、夜間や暗所でも視認出来るので、映画館や夜間の病室などの明るく出来ない場所にも照明器具を露出する事無く、床材、巾木、壁材や手摺などに使用する事により人々の移動を容易に安全に行える。
【００３７】
前項に記載の透明やカラフルな非木質系材を嵌め込むかまたは貫通した複合材から成る床材、幅木、壁材、天井材、または手摺の裏や内部に配置、内蔵した照明器具に明りを点滅、移動させるリレー機器を接続する事により、人々への視認性の向上を図るだけでなく、誘導方向を容易に認知させ、非常時にも多くの人々を一度に非難口へ迅速、且つ、安全に移動させる事が出来るようにする。また、既に実現している振動を電気エネルギーに変換し、照明器具を点灯するシステムの機器と接続して、人が歩行するだけで床材に嵌め込んだ透光性のある非木質系材部分を内蔵した照明器具で点灯させられる複合材とする事が出来る。これを利用して、遊具にしたり、子供の遊戯施設の床や壁に配して遊戯用具との一体化も図れる。
【００３８】
木質系材と非木質系材から成る複合材を下駄に利用する事で、今までの若者にあまり見向きをされない下駄を若者が履きたくなるような履き物とする。また、図４１、図４２のような箸や図４３のような櫛や木質系素材の眼鏡フレームなどの装身具や文房具などにも
に利用する事で多様な分野に木製品の新たな可能性を大きく拡げられる。       
【００３９】
木材に在る節や節穴などの不良な部分をくり貫き、そこに硬質樹脂材などから成る非木質系材を埋め込む事により、木材の欠点を取り除き、強度の向上または透光性やカラフルな模様などのデザイン性の向上などの長所に変えることが出来る。この手法により、安価な構造用の木材を利用し、デザイン性を向上した造作用の木質系複合材とする事が出来る。     
【００４０】
各辺がそれぞれ３００ｍｍ〜９１０ｍｍの正方形または長方形の大判の複合材を各辺がそれぞれ３００ｍｍ〜９１０ｍｍの正方形または長方形の木質系材または非木質系材と組み合わせ、接合固定するなどして、大幅な施工性の向上と共に木製のフローリングの概念を変える革新的なデザイン性の向上も図る事が出来る。
【図面の簡単な説明】
【００４１】
【図１】基本パターンとなる木質系材と非木質系材を接合固定して成る複合材の斜視図。
【図２】木質系材に非木質系材を挟み込み、接合固定して成る複合材の斜視図。
【図３】木質系材と非木質系材を接合固定して成る複合材の斜視図。
【図４】木質系材に非木質系材を挟み込み、積層して成る複合材の斜視図。
【図５】木質系材と非木質系材を接合固定して成る複合材の斜視図。
【図６】木質系材と非木質系材のいずれかが複数の素材から成る複合材の斜視図。
【図７】木質系材と非木質系材を接合固定して成る柱状の複合材の斜視図。
【図８】前記の柱状の複合材の中に照明を内蔵した複合材の斜視図。
【図９】木質系材と非木質系材を接合固定して成るテーブル状の複合材の斜視図。
【図１０】前記のテーブル状の複合材の中に照明を内蔵した複合材の斜視図。
【図１１】木質系材と非木質系材をそれぞれ本実加工し、専用留金具で接合固定する複合材の断面図。
【図１２】複合材と木質系材をそれぞれ本実加工し、専用留金具で接合固定する複合材の断面図。
【図１３】複合材と非木質系材をそれぞれ本実加工し、専用留金具で接合固定する複合材の断面図。
【図１４】木質系材と非木質系材を独自の本実加工と専用金具で接合固定する複合材の断面図。
【図１５】複合材と木質系材を独自の本実加工と専用金具で接合固定する複合材の断面図。
【図１６】木質系合板の板木口面に非木質系材を接合固定する複合材の断面図。
【図１７】木質系積層材の板木口面に非木質系材を接合固定する複合材の断面図。
【図１８】木質系材の板木口面に非木質系材を接合固定する複合材の断面図。
【図１９】表層面の透明の非木質系材の裏の文字や模様を内蔵した光源で照射する複合材の断面図。
【図２０】表層面の透明の非木質系材の裏に文字や模様を９０度に配した複合材の断面図。
【図２１】表層面の透明の非木質系材の裏に文字や模様を任意の角度に配した複合材の断面図。
【図２２】台とバチが複合材から成る鳴子の姿図。
【図２３】木質系材と非木質系材から成る複合材の鳴子の姿図。
【図２４】木質系材と非木質系材から成る複合材の鳴子の姿図。
【図２５】複合材の台と透明アクリル樹脂材のバチから成る鳴子の姿図。
【図２６】非木質系材を木質系材から成る天板や脚部に接合固定したテーブルの天板上部の姿図。
【図２７】非木質系材を木質系材から成る天板や脚部に接合固定したテーブルの長辺側の姿図。
【図２８】非木質系材を木質系材から成る天板や脚部に接合固定したテーブルの短辺側の姿図。
【図２９】非木質系材を５０ｍｍ迄の幅でテーブル天板に配した複合材のテーブルの接合部の断面詳細図。
【図３０】非木質系材を５０ｍｍを超える幅でテーブル天板に配した複合材のテーブルの接合部の断面詳細図。
【図３１】非木質系材を５０ｍｍを超える幅で天板に配し、光源を内蔵した複合材のテーブルの断面図。
【図３２】非木質材と木質系材を接合固定して成る光源を内蔵した鏡枠の断面図。
【図３３】非木質系材と木質系材を接合固定して成るオープン階段の踏面の姿図。
【図３４】非木質系材と木質系材を接合固定して成るオープン階段の踏面の断面図。
【図３５】非木質系材と木質系材から成るオープン階段の踏面部分に光源を内蔵する複合材の踏面の断面図。
【図３６】非木質系材と木質系材を接合固定して成る上り框の内部に光源を内蔵する複合材の框の断面図。
【図３７】非木質系材と木質系材を接合固定して成る上り框の内部に光源を内蔵する複合材の框の断面図。
【図３８】非木質系材と木質系材を接合固定して成る複合材の扉の姿図。
【図３９】木質系材の無垢材と非木質系材をそれぞれフラッシュパネルとし、接合固定した複合材の扉の断面図。
【図４０】非木質系材と木質合板のそれぞれのフラッシュパネル同士を接合固定した複合材の扉の断面図。
【図４１】木質系材に非木質系材を手元に挿入した複合材の箸の姿図。
【図４２】木質系材に非木質系材を手元から先まで全長に渡り挿入した複合材の箸の姿図。
【図４３】木質系材と非木質系材を接合固定して成る複合材の櫛の姿図。
【図４４】大判の木質系の複合材を大判の木質系材または非木質系材と組み合わせた複合材の姿図。
【図４５】大判の非木質系の複合材を大判の非木質系材と組み合わせ、接合固定した複合材の姿図。
【図４６】大判の木質系材と大判の非木質系材を組み合わせ、接合固定した複合材の姿図。
【発明を実施するための形態】
【００４２】
本発明の複合材１３を構成する木質系材１（第１木質系材）は、素地のまま、もしくは熱処理や燻製処理または塗装により着色した木、竹または人造木材のいずれか１つまたは幾つかの素材から成るものとし、木質系材３(第２木質系材）は、木質系材１と色などが異なる同質素材または異なる素材から成る木質系材とし、これら木質系材のいずれか１つまたは木質系材１と木質系材２の組み合わせから成るものとする。        
【００４３】
本発明の複合材１３を構成する木質系材１または３は、木、竹または人造木材のいずれか１つまたは幾つかの素材から成る無垢材、集成材、積層材、天然木化粧合板を含む木質合板または木質繊維板(ＭＤＦと称される中密度繊維板である中質繊維板やインシュレーションボードと称される低密度繊維板やハードボードと称される高密度繊維板をも含む。）から成るものとする。
【００４４】
本発明の複合材１３を構成する木質系材１または３は、ケイ酸カルシウム系材から成る
人造木材、樹木繊維と耐紫外線ポリプロピレン樹脂から成る人造木材、スチレン系樹脂と木粉から成る人造木材のいずれか１つまたは幾つかの組み合わせから成るものとする。
【００４５】
本発明の複合材１３を構成する非木質系材２または４は、アクリル樹脂材、ポリカーボネート樹脂材、硬質塩化ビ二ール樹脂材またはエポキシ樹脂材などの硬質樹脂材、ガラス、メタクリル樹脂強化無機材を含むアクリル樹脂系人造石、エポキシ樹脂系人造石、ポリエステル樹脂系人造石、熱硬化性フェノール樹脂系人造石、クォーツ(水晶)サイトなどから成る人造石または大理石、御影石、石灰石、砂岩などの天然石から成るものとする。
【００４６】
本発明の複合材１３は、非木質系材２(第１非木質系材）または非木質系材２と色などが異なる同質素材または異なる素材から成る非木質系材４(第２非木質系材)を図１〜図２１のように木質系材１または３に嵌め込むか、または貫入し、様々なパターンに組み合わせて、接合固定して成るものとする。
【００４７】
木質系材１の竹の縦積層の集成材に非木質系材２である幅３ｍｍのアクリル樹脂板を１２.５ｍｍ毎に６本を挟み込み、表から裏まで貫通させて接着により接合固定した全長８５０ｍｍ、幅１０５.５ｍｍ、厚さ１０ｍｍの該複合材１３を支点間距離７８０ｍｍで空中に浮かせて支持した板の上に体重７２ｋｇの体重の人間が両足を密着させて立ち、１０分間以上に渡り荷載実験を行ったが、木質材１である竹の縦積層の集成材と異質材２であるアクリル樹脂材のそれぞれの材にも互いの接着面にも割れや剥離などの変化は全く見られなかった。荷載中は中心部が常時２００ｍｍたわんでいたが、荷重を取り除くと直ぐに元のフラットな状態に復元した。この実験により、一般的なフローリング材は１５ｍｍの板厚が使用され、下地となる根太間隔は３００ｍｍ〜３６０ｍｍ程度にて利用されるので、単板のみの使用でも充分に強度は確保されている事が判る。また、実際にフローリング材に使用する場合は、本実加工や相しゃくり加工を施し、隣接する板材と組み合わせ接合されるので変形量は更に小さく、強度は大きくなる。１５ｍｍの板厚のフローリング材の場合は、３００ｍｍ〜３６０ｍｍ程度の根太間隔とするか、フローリング材の下地に１５ｍｍ程の合板を下張りし、根太間隔を４５０ｍｍ程度とする場合が一般的だし、ピアノなどの重量物を置く場合は重量に合わせて根太の間隔を密にするか、特注品として板厚を１５ｍｍ以上にして、いろんな条件にも対応するので、壁材はもとより、床材の強度としても何ら問題はない。
【００４８】
木質系材１の１５.５ｍｍの幅の竹の縦積層の集成材と非木質系材２の４枚の幅３ｍｍのアクリル樹脂板との接着面にプライマー処理を入念に施し、それぞれの材を交互に挟んでイソシアネート系木材接着剤にて接合固定した本発明の複合材１３のブロック圧縮せん断強さ(常態)の測定を工業試験所の機器にて規定に基付いて行ったところ、竹と竹の接着による集成材の試験体（１）は、１１.１５Ｎ／ｍｍ２、竹と竹の接着による集成材の試験体（２）は、１０.５７Ｎ／ｍｍ２に対し、前記の竹とアクリルの接着による複合材の試験体（Ａ）は、９.７１Ｎ／ｍｍ２、竹とアクリルの接着による複合材の試験体（Ｂ）は、９.３２Ｎ／ｍｍ２の結果が出た。最大応力では、竹の集成材の８７〜８８％の圧縮せん断力となり、１２〜１３％の圧縮せん断力低下が見られたが、１.５ｍｍの変位量の時には、竹と竹の試験体（１）が、９.７Ｎ／ｍｍ２、竹と竹の試験体（２）が、８.７Ｎ／ｍｍ２に対し、竹とアクリルの試験体（Ａ）が９.３Ｎ／ｍｍ２、竹とアクリルの試験体（Ｂ）が、８.５Ｎ／ｍｍ２と９７％の強度が確保出来ている。また、ＪＩＳＫ６８０６で規定する水性高分子−イソシアネート系木材接着剤の基準値は、１種１号 常温接着、構造用集成材(常態）が、９.８１Ｎ／ｍｍ２、１種２号 常温接着、造作用集成材(常態）が、９.８１Ｎ／ｍｍ２となり、比較しても９９％の応力が得られており、使用上の強度はなんら問題ない。竹の縦積層材の接着の場合は、木よりも接着剤の材への含浸力が低く強度は得られ難いので、木とアクリルとの組み合わせの場合は、前記のＪＩＳＫ６８０６で規定する基準値を上回る数値が得られると思われる。
【００４９】
木質系材１と非木質系材２の接着による接合方法の場合は、図１や図２のようにフラットな面同士の接着でも前項に記載したように充分に接着強度は確保出来るが、更にせん断力の確保が必要な場合は図２９のように非木質系材２に厚さ３ｍｍ〜１０ｍｍを任意の大きさで接着し、凸状の突起を設け、木質系材に凹状の加工を施して接合し、接着面積の拡大を図璃、接着強度とせん断力の向上を図る。特に樹脂材の場合は２つの材を接着しても樹脂材同士が接着剤により溶着して一体化するので、効果は高く、接着面の強度の向上を著しく図る事が出来る。
【００５０】
木質系材１の１２.５ｍｍ幅の竹の縦積層の集成材と３ｍｍ幅のアクリル樹脂材をそれぞれ交互に組み合わせ、配列した長さ１８５ｍｍ、幅１０６.５ｍｍ、厚さ２５ｍｍの該複合材１３を熱風により表面温度が約７０度位になるまで熱する加熱試験を行ったが、長さと厚さの変化は見受けられ無かったが、全幅が約０.４ｍｍ広くなる変化が見られた。また、厚さ方向の膨張によるサイズ変化は見受けられなかったが、非木質系系材２のアクリル樹脂材が膨張により、木質系材の表層面より弱冠の隆起が確認出来たが、ジョイント部には膨張による段差やズレは見受けられ無かった。しかし、ジョイント部にあらかじめ、指で擦ると微かに感知出来る位の段差がある場合は、更に段差は拡大する箇所も見受けられたが、その差は最大値でも細いの髪の毛の直径と同じ位の約０.０５ｍｍほどの段差でしかなく、床材や壁材などの建築材料または家具材などに使用して問題と成るほどの変化量ではなかった。今回の加熱試験による木質系材１と非木質系材２の接着面の剥離や亀裂は全く見受けられなかった。
【００５１】
前項の複合材１３をガスバーナーの炎で熱する加熱実験を３〜５秒間行ったが、木質系材１である竹の表面は焦げ、非木質系材２であるアクリル樹脂材は表面が溶け、滑らかな面になったが、ジョイント部の接着面には剥離や亀裂などの問題と成る変化は見られなかった。     
【００５２】
木質系材１からなる表層面の少なくとも１つの面からその表層面と対向する反対面まで、図１、図２、図３、図４、図５、図６、図７または図９のように指定の非木質系材２または４を所定の位置に所定の個数または所定の寸法ごとに貫通し、組み合わせ、接合固定して成る複合材、もしくは該複合材の木質系材１と非木質系材２または４の位置を入れ替え、組み合わせる材を逆転して成る複合材１３とする。
【００５３】
木質系材１と非木質系材２の組み合わせだけでなく、図１〜２１や図２６〜３１、図３８〜４２などの木質系材１を非木質系材２と読み替え、非木質系材２と木質系材３を非木質系材４と読み替えて、大理石や人造石などの非木質系材２にガラスや硬質樹脂材などの異なる非木質系材４を嵌め込むか、または貫通する複合材１３とする。        
【００５４】
木質系材１から成る合板や木質系材１の複数の層から成る複合板の板木口面に硬質樹脂材などの非木質系材を挟み込んで接着させるには、ベニア合板や中質繊維板などの合板や複数の層から成る複合板の積層材の中間部または最下部の一部または全面に接着させた厚さ１ｍｍ以上の硬質樹脂材などの非木質材の板木口面または上面に同素材の非木質系材を接着させて接合固定させる。この手法により、１５ｍｍ以上の厚さの合板は勿論のこと、３ｍｍ〜１５ｍｍ程度の比較的薄い合板の板木口面にも接着が可能となり、その他のガラスや石材などの接着不可能であった多様な材も接着可能となった。
【００５５】
本発明の複合材１３は、図１１〜１５のように本実または相じゃくり加工した木質系材１と本実加工または相じゃくり加工した非木質系材２を組み合わせ、所定の材を所定の数、所定の位置や所定の寸法ごとに配置し、接着剤と釘やビスまたは金属製の専用留め金具１０により、接合固定する手法の複合材とする。  
【００５６】
本発明の複合材１３の非木質系材２を透明な硬質樹脂材またはガラスとする際には、複合材の裏側もしくは反対面を透けて見せたくない場所や箇所に利用する場合は、非木質系材本体にスリ加工やエッチング加工、サンドブラスト加工などの加工を施すか、非木質系材裏側に文字や模様を施したシートを貼付または敷き込み、反対面が透過して見えないようにしたり、文字や模様のみを視認させ、裏側を見せないようにする。
【００５７】
非木質系材２を素地のまま、もしくはエッチング加工、サンドブラスト加工や印刷、塗装による文字や模様を施した無色または有色の透明材、透明型板材、半透明材または不透明材（透光性の有無に関わらない）からなる非木質系材２を図６のようにいずれか１つまたは幾つかを組み合わせ、前記木質材１と接合固定して成る複合材１３とする。        
【００５８】
本発明の複合材１３に組み合わせる非木質系材２を透明な材とする場合は、利用箇所や用途により、加工の仕方や磨きの程度を変えて、１００％の透視率の透明から半透明や透視出来ないレベルまで、 自在に変化させる。        
【００５９】
本発明の複合材１３の視認側の表層面に図１９、図２０、図２１ のように挿入または嵌め込んだ透明の非木質系材２の後ろ側に文字や模様を施した材６を配すると、前面の透明の異質材２の実際の奥行きの３分の２程度の近い位置に文字や模様を視認出来る効果がある。この効果は、非木質系材が厚くなり、文字や模様が奥に位置する程にその効果が高くなるので、文字の大きさを違えてドミノ倒しのドミノの駒のように連続して配置したり、模様を重ねずらす事により、３Ｄ画像のように立体的に見せたり、斜めに文字や模様を配置して、より遠近感を強調した効果を持たせる事が出来る。更に凹レンズ形状に加工した材を全体または部分的に組み合わせる事により、様様な効果が得られる。この手法によると印刷などのように塗料が剥げる事が無くなり、塗料が定着し難いガラスや石材の面にも人の手が触れて剥げ易い部分や面にも文字や模様を視認させる事が出来る。       
【００６０】
よさこい踊りで使用される鳴子と称される道具に図２２〜２５のように、しゃもじまたは台と呼ばれる本体部分とバチと呼ばれる幅１０ｍｍの拍子木部分のいずれかまたは双方にカラフルな非木質系材２や透明または透光性のある多彩な非木質系材２を木質系材１と組み合わせて、今迄に無い装飾性の高い鳴子とする。図２２のように台とバチの中央部に幅３ｍｍ〜１０ｍｍの非木質系材２である大理石や有色または無色の透明な硬質樹脂材やガラスを挟んだり、図２３のように中央部に幅４ｍｍの第１木質系材１から成る木または竹を配し、その両側に第１非木質系材２から成る幅３ｍｍの有色または透明の硬質樹脂材を２本配する。または図２４のように中央部に幅５ｍｍの第１非木質系材２の硬質樹脂材を配し、その両サイドに幅２.５ｍｍの第１木質系材１または幅２ｍｍの中央に配する硬質樹脂材と異なる他の色の硬質樹脂材から成る第１非木質系材２を２本、台とバチにそれぞれ配置する。図２５のように台に第１非木質系材２を数列を配するか、または第１非木質材２と第２非木質系材４を２種類以上組み合わせて、数列を台に挟み、中央部のバチまたはバチの３本共、有色または無色の透明樹脂材から成る非木質系材２または４を配置する。     
【００６１】
透光性のある非木質系材２との組み合わせから成る複合材は、明るい場所では接合した非木質系材２が周囲の光により視認性が良いが、暗所では発色、発光せず、色や模様の視認性の向上が望めないので、図８、図１０、図１９、図３１、３２、３５、３６、３７のように複合材の裏側や内部にＬＥＤ照明などの光源５を配置または内蔵し、暗所や夜間でも組み込んだ非木質系材２が視認出来るようにする。 
【００６２】
透光性のある非木質系材２を図３２のように枠材に平行または直交して挟み込み、接合固定して成る鏡台や鏡枠の枠材内部に内蔵した光源で顔を隈なく、影を作らずに照射する
事で化粧をし易くする事が出来る。また、同様の手法を額縁に施す事で、ガラス面に写り込んだ明りを軽減し、反射した光に幻惑される事無く、絵画や写真などを綺麗に見せる事が出来る額縁とする。    
【００６３】
本発明の複合材１３の裏や内部に配置、内蔵する光源にリレー機器を接続し、誘導方向に光源による明りを点滅、移動させる事により、昼夜を問わず、人々に誘導方向の認知をさせる事が出来、効率良く、且つ、安全に移動させられるようにする。また、既に実現している振動を電気エネルギーに変換して人が歩くだけで照明器具を点灯させられる機器と組み合わせて、複合材に嵌め込んだ透光性のある材を内蔵した照明器具で点灯出来るようにする。この振動で照明器具が点灯するシステムと透光性のある複合材の組み合わせをステレオなどのスピーカーＢＯＸやＴＶ台などの家具に組み合わせ、視覚効果が高いユニークな家具とする。
【００６４】
木質系材１の中に挿入する非木質系材２のガラスや硬質樹脂材は透明または不透明に関わらず、カラフルな色の硬質樹脂材は厚い板材が無く、透明アクリル樹脂材の場合でも一般的には５０ｍｍ程の厚さ迄しか無いので、図２６、２７、２８のように幅が５０ｍｍ迄なら、テーブルの天板の表層面に板材を直交させて、板の厚み部分の木口を天板表層面に見せるように挿入すれば、図２４のように天板の厚さと同じ厚さに対応できるが、天板に貫入または貫通する非木質系材２の幅が５０ｍｍを超える場合は、非木質系材２の板面をテーブル天板と同方向に利用しなくてはならず、図３０のように非木質系材２と木質系材１の厚さが異なるような配置とするか、または図３１のように非木質系材２を表層面と裏面の２層にするか、図３９または図４０のように非木質系材２をフラッシュパネル化してして、表層面と裏面をフラットにする。
【００６５】
木質系材１から成る椅子やテーブルに図２６、図２７、図２８のように硬質樹脂材や大理石などの石材から成る非木質系材２を挟んでデザイン性の向上を図るだけでなく、有色または無色の透明の硬質樹脂材やガラスから成る非木質系材２を貫通させて挟み、家具やテーブルを分割させて見せたり、宙に浮いているように見せるなど、視覚的効果が高い、今迄に無い画期的なデザインの家具とする。
【００６６】
木質系材１と非木質系材２の組み合わせだけでなく、図２６や２９の素材の組み合わせを逆転して、大理石などの天然石または人造石から成る非木質系材２に異なる素材や色の硬質樹脂材、ガラスや人造石などから成る非木質系材４を嵌め込むかまたは貫通し、組み合わせ、接合固定して成る複合材を流し台や洗面化粧台の天板など耐水性の必要な箇所に利用する。
【００６７】
階段の踏面に図３３、３４のように石材やカラフルな樹脂材から成る非木質系材２を木質系材１に挿入した複合材を使用して、段差のある箇所や端部を老人や弱視などの視覚に障害のある人にも視認し易いようにする。特に図３４のように蹴込み板の無いオープンな階段の踏面に無色または有色の透明の硬質樹脂材を貫通させた複合材を使用すれば、室内の明りが踏面を透過して光って見え、視認効果だけでなく装飾効果も高くなる。
【００６８】
階段の裏側に天井を設ける階段などの場合は照明器具５は蛍光灯や白熱灯でも自在に配置出来るので、透明の硬質樹脂材などを挿入して成る複合材の裏側に光源を配置出来るが、図２９のような踏面とササラ桁のみのオープンな階段の場合は、踏面に照明器具５を内蔵しなくては、踏面に挿入した硬質樹脂やガラスなどの非木質系材２を照射し、照明器具を点灯する事は出来ない。そこで、電源やトランスからの配線は木材のササラ桁の片側に壁が隣接する場合は壁の中を通して、各踏面ごとにササラ桁に穴を開けて配線を通し、図３０のように踏面に挟んだ非木質系材２の裏側に埋め込んだＬＥＤなどの照明器具からなる光源と接続し、点灯させる。ササラ桁が壁から離れている独立したオープンの階段の場
合は、電源からの配線は階段が取り付く床下より取り込み、ササラ桁の見え難い部分に溝を切り、各踏面へ配線し、踏面に内蔵した光源へと接続する。また、廻り階段の場合は配線を支柱となるパイプの中を通して踏面が取り付く部分の支柱の鉄板に穴を開けて配線を通して接続した光源の照明器具５を踏面の複合材に挟んで挿入したアクリル樹脂材などの非木質系材２の内部に内蔵し、裏から同材２から成る照明用点検口１１で蓋をする。非木質系材２の挿入幅が５ｍｍの場合は、図３５の左側の光源のレイアウトのように上方面にしか照射出来ないが、非木質系材２の挿入幅が１０ｍｍを超える場合は、図３５の右側の光源のレイアウトのように踏面の上方面と下方面のどちらにも照射出来るように照明器具５を内蔵出来るので、更に効果的と成る。挿入する非木質系材２が透明だと有色でも薄い色の場合は照明器具５のＬＥＤ照明の電球が直接見えるので、点状に見える光源が気になるようであれば、スリ加工を施すか型板材を裏打ちして、直接光源が見えないように均一な明りとする。また、透明の非木質系材２と木質系材１との接合面の木肌や接着剤が非木質系材越しに見えるようであれば、非木質系材２をスリ加工するなど、それらが見えないような処置を施す。また、ＬＥＤ照明器具などを内蔵する空洞部が照明器具５の熱により問題が生じそうな場合は金属やガラスなどの反射材を兼ねた耐熱材を施すなどの処置を行ったり、密閉しないで通気孔を設けるなどの処置を施す。
【００６９】
非木質系材２の有色の透明樹脂材や不透明のカラフルな樹脂材は一般的に１ｍｍ〜１０ｍｍの厚さ迄しかない材が殆どなので、木質材１に挿入する幅が広く取れないし、厚い材を使用すると重量が増して家具や扉への利用が制限されるので、図３４や図３５のように木質系材１と非木質系材２をそれぞれ中空のフラッシュパネル化し、接合固定して成る複合材とする。
【００７０】
前記のフラッシュパネルにする為には前記複合材を数ｍｍの厚さにスライスしなくては成らないが、木質系材１と硬質樹脂材または一部の人造石から成る複合材は、３〜５ｍｍの厚さならスライサーでスライス加工出来るので、はめ込み式の敷居滑りなどに利用する。また、敷居の溝部分に竹と硬質樹脂材またはナラやブナ、アピトン等の多様な堅木または天然石や人造石などと組み合わせて成る複合材を配し、桧、杉やナラ、ブナなどの無垢材や単板張り集成材と組み合わせて接合固定して成る敷居材とする。木質系材１と非木質系材２を組み合わせて成る複合材を1ｍｍ〜１０ｍｍほどにスライスした薄板と他のラワン合板やシナ合板などの合板に張り付けた化粧合板とする。
【００７１】
非木質系材２のカラフルな硬質樹脂材、ガラスや天然石のいずれか１つまたは幾つかの大小様々な片材と人造木材を構成する基材を混ぜ合わせ、これを成形して、固め、研磨し、非木質系材２が表層面に露出した人造木材または該人造木材と木質系材１または非木質系材２を組み合わせ、接合固定して成る複合材とする。
とする。    
【００７２】
非木質系材２のカラフルな硬質樹脂材、ガラスや天然石のいずれか１つまたは幾つかの大小様々な片材と人造石を構成する基材を混ぜ合わせ、これを成形して、固め、研磨し、非木質系材２が表層面に露出した人造石または該人造石と木質系材１または非木質系材２を組み合わせ、接合固定して成る複合材とする。
【００７３】
木質系材１から成る箸の全長または一部に図４１、４２のように透明やカラフルな樹脂材から成る非木質系材２を挟んだ複合材から成る箸などの日用雑貨や図４３のように櫛や眼鏡フレームなどの装身具とする。
【００７４】
木質系材１の木材の節や節穴などの不良な部分をくり貫き、そこに硬質樹脂材やガラス、石材などの非木質系材２を多様な形状で嵌め込む事により、木材の欠点である節を取り除き、嵌め込んだ非木質系材２にて透光性やカラフルで多様な形状の模様から成る装飾性
の向上や強度の向上などの長所が得られる複合材とする。この手法により、節が多く在る安価な木材を使用し、デザイン性の高い複合材にする事が可能となった。
【００７５】
木質系材１に非木質系材２を嵌め込むかまたは貫通し、接合固定して成る各辺がそれぞれ３００ｍｍ〜９１０ｍｍの正方形または長方形の板状の複合材とする。
【００７６】
前項に記載の木質系複合材と木質系材１または非木質系材２を組み合わせ、接合固定して成る各辺がそれぞれ３００ｍｍ〜９１０ｍｍの正方形または長方形の板状の複合材とする。
【００７７】
非木質系材２に異なる非木質系材４を嵌め込むかまたは貫通し、接合固定して成る各辺がそれぞれ３００ｍｍ〜９１０ｍｍの正方形または長方形の板状の複合材とする。
【００７８】
前項に記載の非木質系複合材と非木質系材２を組み合わせ、接合固定して成る各辺がそれぞれ３００ｍｍ〜９１０ｍｍの正方形または長方形の板状の複合材とする。
【００７９】
図４４や図４５のように前項または前々項に記載の各辺がそれぞれ３００ｍｍ〜９１０ｍｍの正方形または長方形の木質系複合材または非木質系複合材と各辺がそれぞれ３００ｍｍ〜９１０ｍｍの正方形または長方形の木質系材１または非木質系材２を組み合わせ、接合固定して成る複合材とする。              
【００８０】
図４６のように各辺がそれぞれ３００ｍｍ〜９１０ｍｍの正方形または長方形の木質系材１と各辺がそれぞれ３００ｍｍ〜９１０ｍｍの正方形または長方形の非木質系材２を組み合わせ、接合固定して成る複合材とする。  
【符号の説明】
【００８１】
１  第１木質系材
２  第１非木質系材
３  第２木質系材
４  第２非木質系材  
５  ＬＥＤ照明器具などから成る光源
６  文字や模様を施した材
７  ＬＥＤ照明用留め金具
８  鏡や金属などによる反射板
９  木質フローリング
１０  フローリング用専用留め金具
１１  照明用点検口
１２  木質合板フラッシュパネル
１３  第１または第２木質系材と第１または第２非木質系材を組み合わせ、接合固定して成る複合材
【図１】
2011152763.tif 000003
【図２】
2011152763.tif 000004
【図３】
2011152763.tif 000005
【図４】
2011152763.tif 000006
【図５】
2011152763.tif 000007
【図６】
2011152763.tif 000008
【図７】
2011152763.tif 000009
【図８】
2011152763.tif 000010
【図９】
2011152763.tif 000011
【図１０】
2011152763.tif 000012
【図１１】
2011152763.tif 000013
【図１２】
2011152763.tif 000014
【図１３】
2011152763.tif 000015
【図１４】
2011152763.tif 000016
【図１５】
2011152763.tif 000017
【図１６】
2011152763.tif 000018
【図１７】
2011152763.tif 000019
【図１８】
2011152763.tif 000020
【図１９】
2011152763.tif 000021
【図２０】
2011152763.tif 000022
【図２１】
2011152763.tif 000023
【図２２】
2011152763.tif 000024
【図２３】
2011152763.tif 000025
【図２４】
2011152763.tif 000026
【図２５】
2011152763.tif 000027
【図２６】
2011152763.tif 000028
【図２７】
2011152763.tif 000029
【図２８】
2011152763.tif 000030
【図２９】
2011152763.tif 000031
【図３０】
2011152763.tif 000032
【図３１】
2011152763.tif 000033
【図３２】
2011152763.tif 000034
【図３３】
2011152763.tif 000035
【図３４】
2011152763.tif 000036
【図３５】
2011152763.tif 000037
【図３６】
2011152763.tif 000038
【図３７】
2011152763.tif 000039
【図３８】
2011152763.tif 000040
【図３９】
2011152763.tif 000041
【図４０】
2011152763.tif 000042
【図４１】
2011152763.tif 000043
【図４２】
2011152763.tif 000044
【図４３】
2011152763.tif 000045
【図４４】
2011152763.tif 000046
【図４５】
2011152763.tif 000047
【図４６】
2011152763.tif 000048
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
木、竹または人造木材のいずれか１つまたは幾つかの素材から成る木質系材と留金具の組み合わせにより、独自の本実または独自の相じゃくりの形状となるように接合部分に加工を施した該木質系材と、
硬質樹脂材、ガラス、天然石または人造石のいずれか１つまたは幾つかの素材から成る非木質系材と留金具の組み合わせにより、独自の本実または独自の相じゃくりの形状となるように接合部分に加工を施した該非木質系材とを
留金具を用いて接合固定すると共に接合した該木質系材の表層面の少なくとも１面に該非木質系材を嵌め込むかまたは貫入するように組み合わせ、接合固定して成る複合材。
【請求項２】
木、竹または人造木材のいずれか１つまたは幾つかの素材から成る木質系材の接合部分に本実加工または相じゃくり加工を施した該木質系材と、
硬質樹脂材、ガラス、天然石または人造石のいずれか１つまたは幾つかの素材から成る非木質系材の接合部分に本実加工または相じゃくり加工を施した該非木質系材とを
留金具を用いて接合固定すると共に接合した該木質系材の表層面の少なくとも１面に該非木質系材を嵌め込むかまたは貫入するように組み合わせ、接合固定して成る複合材。
【請求項３】
前記留金具は、２つのＬ字形状の金具の１つはＬ字金具の出隅となる角部分が左下方向を向くようにＬ字となる位置に配置し、もう一方のＬ字形状の金具は前記Ｌ字形状の金具の位置より１８０度回転させて、出隅となる角部分が右上方向を向く位置に配置し、水平方向の位置となる両方の金具の互いの一辺同士を重ねて、もう一辺は互いに向き合うが、端部は異なる方向に折れ曲がった形状に成形された留金具、またはＬ字形状の金具とＩ字形状の金具を組み合わせたユの字の形状になるように成形された留金具であり、これらの留金具のいずれか一方、または両方の留金具を用いて接合固定して成る請求項１または請求項２のいずれかに記載の複合材。
【手続補正２】
【補正対象書類名】明細書
【補正対象項目名】０００１
【補正方法】変更
【補正の内容】
【０００１】
本発明は、建材、家具用材、建築用内装材などに利用する複合材。
【手続補正３】
【補正対象書類名】明細書
【補正対象項目名】０００２
【補正方法】変更
【補正の内容】
【０００２】
従来の木質系の複合材は、木質の単板の反りや変形を生じさせない為に特許文献１のように積層化による合板や複合材としているが、本発明の複合材は木質系材と非木質系材とを組み合わせて接合固定する接合部分に留金具を用いて本実または相じゃくりの形状による接合方法により接合固定して成る複合材とする。
【手続補正４】
【補正対象書類名】明細書
【補正対象項目名】０００８
【補正方法】変更
【補正の内容】
【０００８】
従来の木質系材の床材または壁材は、一般的な幅が７５mm〜１５０mmの長尺タイプの物が殆どで、尚且つ、木質系材の単一な素材の組み合わせによる物ばかりなので、様様な大きさや形状または素材の組み合わせが可能となるように木質系材と非木質系材をシステマチックに組み合わせられる複合材を開発する。